(57)【要約】      （修正有）【課題】空気調和機が受信して設定された内容を確実にリモコンで音声応答する。【解決手段】室内ユニットで赤外線信号を出力する赤外線信号出力手段を有し、双方向通信を可能とした空気調和機において、複数の操作スイッチからなる制御信号入力手段１と空気調和機の各種制御データ作成する赤外線制御信号作成手段２と、空気調和機を制御する赤外線信号を出力する赤外線信号出力手段３と、スピーカーからなる音声応答出力手段６と、室内ユニットから出力される赤外線信号を受信する赤外線信号入力手段４と、音声応答データを作成する音声応答作成手段５とを備え、前記赤外線信号入力手段手段からの信号に応じて音声応答データを作成し、前記音声応答出力手段より音声応答を行うとしたものである。【選択図】図１
2009144959.tif 000002
【特許請求の範囲】
【請求項１】
室内ユニットで赤外線信号を出力する赤外線信号出力手段を有し、双方向通信を可能とした空気調和機において、複数の操作スイッチからなる制御信号入力手段と空気調和機の各種制御データ作成する赤外線制御信号作成手段と、空気調和機を制御する赤外線信号を出力する赤外線信号出力手段と、スピーカーからなる音声応答出力手段と、室内ユニットから出力される赤外線信号を受信する赤外線信号入力手段と、音声応答データを作成する音声応答作成手段とを備え、前記赤外線信号入力手段からの信号に応じて音声応答データを作成し、前記音声応答出力手段より音声応答を行う空気調和機の遠隔制御装置。
【請求項２】
室内ユニットから出力される赤外線信号に単純な信号（ＡＣＫ）を用い、遠隔制御装置のスイッチ操作データを基にして音声応答データを作成するとした請求項１に記載の空気調和機の遠隔制御装置。
【請求項３】
室内ユニットから出力される赤外線信号に各種制御データが含まれているか判定を行ない、音声応答データ作成の基データの切換を行う請求項１または２に記載の空気調和機の遠隔制御装置。
【請求項４】
室内ユニットから出力される赤外線信号を受信できない時には、通常とは異なる音声応答を行う請求項１から３のいずれか1項に記載の空気調和機の遠隔制御装置。
【発明の詳細な説明】
【技術分野】
【０００１】
本発明は、室内ユニットと双方向通信可能な赤外線ワイヤレスリモコンを具備し、ワイヤレスリモコンで赤外線通信信号に対応した音声応答機能を有した空気調和機の遠隔制御装置に関するものである。
【背景技術】
【０００２】
従来、この種の空気調和機では赤外線信号を用いてワイヤレスリモコンのスイッチ操作を空気調和機の室内ユニットに制御信号として送信するが、室内ユニット側では制御信号の受信確認音をブザーを用いて発生させている。また、ユーザーの利便性・操作に対する識別性の向上の為にスピーカーを用いて音声応答する空気調和機が実現されている。スピーカーを具備した空気調和機の室内ユニットと、赤外線を用いたワイヤレスリモコンから構成されている（例えば、特許文献１参照）。
【特許文献１】特開２００１−１２８２６４号公報
【発明の開示】
【発明が解決しようとする課題】
【０００３】
しかしながら、前記従来の構成では、ユーザーがワイヤレスリモコンを操作する事により、空気調和機の室内ユニットのスピーカーから音声による応答が行われるが、テレビやオーディオの音を含むユーザー周囲の騒音により、空気調和機の音声応答が聞こえにくいという課題を有していた。
【０００４】
本発明は、前記従来の課題を解決するもので、周囲の騒音の影響を最小限に抑えてユーザーの操作に対する識別性を向上させた空気調和機の遠隔制御装置を提供することを目的とする。
【課題を解決するための手段】
【０００５】
前記従来の課題を解決するために、本発明の空気調和機の遠隔制御装置は、室内ユニットで赤外線信号を出力する赤外線信号出力手段を有し、双方向通信を可能とした空気調和機において、複数の操作スイッチからなる制御信号入力手段と空気調和機の各種制御データ作成する赤外線制御信号作成手段と、空気調和機を制御する赤外線信号を出力する赤外線信号出力手段と、スピーカーからなる音声応答出力手段と、室内ユニットから出力される赤外線信号を受信する赤外線信号入力手段と、音声応答データを作成する音声応答作成手段とを備え、前記赤外線信号入力手段手段からの信号に応じて音声応答データを作成し、前記音声応答出力手段よりワイヤレスリモコンで音声応答を行うとしたものである。
【０００６】
これによって、空気調和機のワイヤレスリモコンを操作すると室内ユニットの反応に応じた音声応答がワイヤレスリモコンから行なわれることになり、ユーザーの操作に対する識別性を向上させた空気調和機の遠隔制御装置が実現される。
【発明の効果】
【０００７】
本発明の空気調和機の遠隔制御装置は、室内ユニットの反応に応じてユーザーが操作するワイヤレスリモコンで音声応答することによりユーザーによる音声応答の誤認識を防止でき、安価で操作性に対する識別性に富む空気調和機の遠隔制御装置を実現することができる。
【発明を実施するための最良の形態】
【０００８】
第１の発明は、複数の操作スイッチからなる制御信号入力手段１と、前記制御信号入力
手段の信号により空気調和機の各種制御データを作成する赤外線制御信号作成手段２と、空気調和機を制御する赤外線信号を出力する赤外線信号出力手段３と、室内ユニットから出力される赤外線信号を受信する赤外線信号入力手段４と、前記赤外線信号手段の信号により音声応答データを作成する音声応答信号作成手段５と、スピーカーからなる音声応答出力手段６を備え、前記赤外線信号入力手段手段からの信号に応じて音声応答データを作成し、前記音声応答出力手段より音声応答することにより、ユーザーの手元にあるワイヤレスリモコンから音声応答が聞こえることになり、操作に対する識別性に富む空気調和機の遠隔制御装置を実現することができる。
【０００９】
第２の発明は、室内ユニットから出力される赤外線信号に単純な信号（ＡＣＫ）を用い、遠隔制御装置のスイッチ操作データを基にして音声応答データを作成することにより、室内ユニットからの通信データ長を短くすることなり音声応答の確実性を向上することができる。
【００１０】
第３の発明は、室内ユニットから出力される赤外線信号に各種制御データが含まれているか判定を行ない、音声応答データ作成の基データを切換を行うことにより、遠隔制御装置のスイッチ操作データが無い様な室内ユニットの反応に応じた音声応答を行うと共に音声応答の確実性も確保できる。
【００１１】
第４の発明は、室内ユニットから出力される赤外線信号を受信できない時には、通常とは異なる音声応答を行うことにより、操作に対する室内ユニットの反応を誤認識することを防止できる。
【００１２】
以下、本発明の実施の形態について、図面を参照しながら説明する。なお、この実施の形態によって本発明が限定されるものではない。
【００１３】
（実施の形態１）
図１は、本発明の第１から４の実施の形態における遠隔制御装置のブロック構成を示すもので、図６は室内ユニットとワイヤレスリモコンの位置関係を示すものである。
【００１４】
図１において、複数の操作スイッチからなる制御信号入力手段１と空気調和機の各種制御データ作成する赤外線制御信号作成手段２と、空気調和機を制御する赤外線信号を出力する赤外線信号出力手段３と、室内ユニットから出力される赤外線信号を受信する赤外線信号入力手段４と、音声応答データを作成する音声応答信号作成手段５とを備え、前記赤外線信号入力手段手段からの信号に応じて音声応答データを作成し、音声応答出力手段６は音声応答を行うスピーカーを有し、空気調和機の遠隔制御装置を構成している（実施の形態１から４に共通の構成）。
【００１５】
図２は、本発明の第１の実施の形態における動作を示すフローチャートである。以上のように構成された空気調和機の遠隔制御装置について、図２をもちいて以下その動作、作用を説明する。
【００１６】
まず、処理がスタートすると、ステップＲ１でスイッチが操作されたかを判断して、スイッチ操作がないと判断するとステップＲ５に進みその他の処理を行う。スイッチ操作があると判断すると、ステップＲ２に進む。ステップＲ２においてスイッチ操作によりエアコン制御変更要求が発生するかを判断して、エアコン制御変更要求が無いと判断するとステップＲ５に進みその他の処理を行う。エアコン制御変更要求があると判断するとステップＲ３に進む。ステップＲ３においてスイッチ操作に応じたエアコン制御信号を作成してステップＲ４に進む。ステップＲ４においてステップＲ６で作成されたエアコン制御信号を送信してステップＲ１に進み、処理を繰り返す。ステップＲ５においてエアコン制御信
号送信から所定時間の間室内ユニットからの赤外線信号の受信を行い、所定時間後にステップＲ６に進む。ステップＲ６において受信した室内ユニットからの信号が例えば冷房モード・設定温度２５度・運転のように音声応答に用いるデータかを判断し、音声応答用データならばステップＲ７に進む。音声応答用ではないと判断するとその他の処理を行う。ステップＲ７において室内ユニットからの信号を基に、例えば「冷房モード・設定温度２５度・運転」のような音声応答信号を作成しステップＲ８に進む。ステップ８においてステップＲ７で作成された音声応答信号を増幅器・スピーカーに出力する。図示は省略しているが、その他の処理を実行後スタートに戻り処理を繰り返す。
【００１７】
以上のように、本実施の形態においては空気調和機のワイヤレスリモコンを操作すると室内ユニットの反応に応じてユーザーが操作するワイヤレスリモコンで音声応答することによりユーザーによる音声応答の誤認識を防止でき、安価で操作性に対する識別性に富む空気調和機の遠隔制御装置を実現することができる。
【００１８】
（実施の形態２）
図３は、本発明の第２の実施の形態における動作を示すフローチャートである。図３において第１の実施例と同じ処理については同一ステップ番号を付与することとして説明を割愛する。
【００１９】
ステップＲ９において受信した室内ユニットからの応答信号が「ＡＣＫ」データかを判断し、「ＡＣＫ」ならばステップＲ１０に進む。「ＡＣＫ」ではないと判断するとその他の処理を行う。ステップＲ１０においてワイヤレスリモコンの表示内容および操作スイッチを基に例えば「冷房モード、設定温度２５度、運転」のような音声応答信号を作成しステップＲ８に進む。
【００２０】
この実施形態によれば、遠隔制御装置のスイッチ操作データを基にして音声応答データを作成することにより、室内ユニットからの通信データ長を短くすることなり音声応答の確実性を向上することができる。
【００２１】
（実施の形態３）
図４は、本発明の第３の実施の形態における動作を示すフローチャートである。図４において第１の実施例と同じ処理については同一ステップ番号を付与することとして説明を割愛する。
【００２２】
ステップＲ１１において受信した室内ユニットからの信号が例えば「室温２３度・湿度４０％」のように音声応答に用いるデータかあるいは「ＡＣＫ」データかを判断し、どちらかであればステップＲ１２に進む。どちらでも無い場合はその他の処理を行う。ステップＲ１２において室内ユニットからの音声応答データもしくはワイヤレスリモコンの表示内容および操作スイッチを基に例えば「室温２３度・湿度４０％」あるいは「冷房モード、設定温度２５度、運転」のような音声応答信号を作成しステップＲ８に進む。
【００２３】
この実施形態によれば、音声応答データ作成の基データを切換を行うことにより、遠隔制御装置のスイッチ操作データが無い様な室内ユニットの反応に応じた音声応答を行うと共に音声応答の確実性も確保できる。
【００２４】
（実施の形態４）
図５は、本発明の第４の実施の形態における動作を示すフローチャートである。図５において第３の実施例と同じ処理については同一ステップ番号を付与することとして説明を割愛する。
【００２５】
ステップＲ１１において受信した室内ユニットからの信号が例えば「室温２３度・湿度４０％」のように音声応答に用いるデータかあるいは「ＡＣＫ」データかを判断し、どちらでも無いと判断された場合にステップＲ１３に進む。ステップＲ１３において例えば「室内ユニットの動作が確認できませんでした」のような音声応答信号を作成しステップＲ１４に進む。ステップＲ１４においてステップＲ１３で作成された音声応答信号を増幅器・スピーカーに出力する。
【００２６】
この実施形態によれば、、通常とは異なる音声応答を行うことにより、操作に対する室内ユニットの反応を誤認識することを防止できる。
【産業上の利用可能性】
【００２７】
以上のように、本発明にかかる空気調和機の遠隔制御装置は、室内ユニットの反応に応じてユーザーが操作するワイヤレスリモコンで音声応答することによりユーザーによる音声応答の誤認識を防止でき、安価で操作性に対する識別性に富む空気調和機の遠隔制御装置を実現することができる。
【図面の簡単な説明】
【００２８】
【図１】本発明の実施の形態１から４における遠隔制御装置のブロック図
【図２】本発明の実施の形態１における動作を示すフローチャート
【図３】本発明の実施の形態２における動作を示すフローチャート
【図４】本発明の実施の形態３における動作を示すフローチャート
【図５】本発明の実施の形態４における動作を示すフローチャート
【図６】本発明の空気調和機の室内ユニットとワイヤレスリモコンの位置関係図
【符号の説明】
【００２９】
１  制御信号入力手段
２  赤外線制御信号作成手段
３  赤外線信号出力手段
４  赤外線信号入力手段
５  音声応答信号作成手段
６  音声信号出力手段
１０  ワイヤレスリモコン
１１  スピーカー
１２  赤外線信号送信部
１３  赤外線信号受信部
２０  空気調和機の室内ユニット
２１  赤外線信号送受信部
【図１】
2009144959.tif 000003
【図２】
2009144959.tif 000004
【図３】
2009144959.tif 000005
【図４】
2009144959.tif 000006
【図５】
2009144959.tif 000007
【図６】
2009144959.tif 000008